(57)【要約】【課題】通路側面の手摺桿本体に運搬車類が直接衝突することによって手摺桿本体または運搬車類に生じる損傷を防止すると共に手摺桿としての本来の機能を損わない緩衝手摺桿を提供すること。  【解決手段】通路に設置される緩衝手摺桿は、柔軟性を有し靱性の強い材料製の細長い緩衝部材５を、棒状の手摺桿本体１における通路側端面よりその先端縁６が突設されるように手摺桿本体に沿って手摺桿本体の側面に着脱可能に取付けたものである。【選択図】図２
2007032102.tif 000002
【特許請求の範囲】
【請求項１】
柔軟性を有し靱性の強い材料製の細長い緩衝部材を、棒状の手摺桿本体における通路側端面よりその先端縁が突設されるように該手摺桿本体に沿って該手摺桿本体の側面に着脱可能に取付けられていることを特徴とする緩衝手摺桿。
【請求項２】
棒状の手摺桿本体における通路側の側面には長さ方向に奥広溝が形成され、柔軟性を有し靱性の強い材料製の細長い緩衝部材は、その先端縁が該手摺桿本体における通路側端面より突設されるように該手摺桿本体の該奥広溝にその先広後端縁を着脱自在に嵌着されて取付けられていることを特徴とする緩衝手摺桿。
【請求項３】
前記手摺桿本体が剛質な芯部材上に軟質の表面部材が被覆されて形成されており、前記奥広溝が該表面部材に凹設されており、前記緩衝部材が該表面部材より硬質とされていることを特徴とする請求項２記載の緩衝手摺桿。
【請求項４】
棒状の手摺桿本体には下方に開く長さ方向の奥広縦溝が形成され、柔軟性を有し靱性の強い材料製の細長い緩衝部材は、該手摺桿本体の下端面に沿って延びる底帯部と該底帯部から立上がる起立縁と該起立縁を縦通する通孔とを有し、該起立縁を該手摺桿本体の該奥広縦溝に挿入して該緩衝部材の該底帯部が該手摺桿本体の該下端面に接した状態で、該緩衝部材の該起立縁における該通孔に下方から挿通した螺子が、該手摺桿本体の該奥広縦溝に係止した係止部材の螺子孔に締付けられることによって該緩衝部材が該手摺桿本体に着脱自在に取付けられ、該緩衝部材の該底帯部における先端縁は該手摺桿本体の通路側端面より突設されることを特徴とする緩衝手摺桿。
【請求項５】
棒状の手摺桿本体には下方に開く長さ方向の奥広縦溝が形成され、柔軟性を有し靱性の強い材料製の細長い緩衝部材は、該手摺桿本体の下端面に沿って延びる底帯部と該底帯部から立上がる先広起立縁とを有し、該緩衝部材の該底帯部が該手摺桿本体の該下端面に接した状態で該緩衝部材の該先広起立縁が該手摺桿本体の該奥広縦溝に着脱自在に嵌着されて取付けられ、該緩衝部材の該底帯部における先端縁は該手摺桿本体の通路側端面より突設されることを特徴とする緩衝手摺桿。
【発明の詳細な説明】
【技術分野】
【０００１】
本発明は、建造物の通路に沿って設置される手摺桿、特に手摺桿本体に緩衝部材を付設した手摺桿に関する。
【背景技術】
【０００２】
病院、障害者施設、老人用施設等では、階段以外に廊下にも手摺桿が設置される。これらの施設の廊下は、人間の通行と同時にストレッチャーや、医療器具、給食等の運搬車類の通行に使用される。一般的なストレッチャーの高さは手摺桿の高さよりも低いので、ストレッチャーが手摺桿に衝突することがなく、建造物の壁面へストレッチャーが接触することによる両者の破損を防止するために壁面にストレッチャーガードを設けることによって解決することができる。しかしながら特別なストレッチャーや医療器具、給食等の運搬車類には背の高い種類のものも多く、このような運搬車類は壁面から通路側に突設されている手摺桿に衝突する場合を生じる。衝突する場合に、手摺桿が軟弱な表面材料で被覆されているときには、手摺桿表面に深い溝が形成されたり表面が剥離したりすることになり、手摺機能の著しい低下を招来する。また手摺桿がステンレス鋼等のような硬質材料製のときには、運搬車類の車体と手摺桿の双方に損傷を与えることになる。このように手摺桿に運搬車類が衝突することによって発生する障害を防止すると共に、手摺桿としての本来の機能も満足する技術手段は未だ見るべきものがない。何らかの付属物を付設した手摺桿本体は数例（例えば、特許文献１および特許文献２参照。）見受けられるがいずれもその目的や手段が異なっている。
【０００３】
【特許文献１】登録実用新案第３１０３３７０号公報
【特許文献２】実開平３−８０８３２号公報
【発明の開示】
【発明が解決しようとする課題】
【０００４】
本発明が解決しようとする課題は、通路側面の手摺桿本体に運搬車類が直接衝突することによって手摺桿本体または運搬車類に生じる損傷を防止すると共に手摺桿としての本来の機能を損わない緩衝手摺桿を提供することにある。  
【課題を解決するための手段】
【０００５】
本発明にかかる緩衝手摺桿は、運搬車類が直接手摺桿本体に衝突することを防止するために、柔軟性を有し靱性の強い材料製の細長い緩衝部材を、棒状の手摺桿本体における通路側端面よりその先端縁が突設されるように該手摺桿本体に沿って該手摺桿本体の側面に着脱可能に取付けられていることを特徴とする。  
【発明の効果】
【０００６】
本発明は、次のような効果を奏する。
Ａ．運搬車類が手摺桿に衝突した場合に、柔軟性を有し靱性の強い材料製の緩衝部材が介在されているので、手摺桿本体が軟弱な表面材料で被覆されているときには、手摺桿本体表面に深い溝が形成されて変形したり表面が剥離して破損することがなく、また手摺桿本体がステンレス鋼等のような硬質材料製のときには、手摺桿本体と運搬車類の車体双方に損傷を与えることがない。
Ｂ．緩衝部材は柔軟性を有し靱性の強い材料製なので、充分な緩衝能力を有すると共に変形が残留しない。
Ｃ．緩衝部材が長年の使用により破損した場合には、取外して新品と交換することが可能である。
Ｄ．棒状の手摺桿本体における通路側の側面には長さ方向に奥広溝が形成される態様では、構造が簡単で手摺本来の機能を損わない緩衝手摺桿を得ることができる。そして、手摺桿本体が剛質な芯部材上に軟質の表面部材を被覆されて形成されており、奥広溝が該表面部材に凹設されており、緩衝部材が表面部材より硬質とされているときには、緩衝部材における運搬車類の衝突箇所の応力が分散されて表面部材に伝達されるから、衝撃がより緩和される。
Ｅ．棒状の手摺桿本体に、下方に開く長さ方向の奥広縦溝が形成される態様では、手摺桿本体を壁面等に固着する手段となる構造と、緩衝部材の取付構造とを兼用することになり、手摺桿本体に別途取付手段を設ける必要がないので手摺本来の機能を損わず、同時にコストダウンを図ることができる。
【発明を実施するための最良の形態】
【０００７】
本発明の緩衝手摺桿では、柔軟性を有し靱性の強い材料製の細長い緩衝部材を、棒状の手摺桿本体における通路側端面よりその先端縁が突設されるように該手摺桿本体に沿って該手摺桿本体の側面に着脱可能に取付けられていることを主な特徴とする。
また本発明の緩衝手摺桿では、棒状の手摺桿本体における通路側の側面には長さ方向に奥広溝が形成され、柔軟性を有し靱性の強い材料製の細長い緩衝部材は、その先端縁が該手摺桿本体における通路側端面より突設されるように該手摺桿本体の該奥広溝にその先広後端縁を着脱自在に嵌着されて取付けられていることを特徴とする。
そしてこの場合、手摺桿本体が剛質な芯部材上に軟質の表面部材が被覆されて形成されており、前記奥広溝が該表面部材に凹設されており、前記緩衝部材が該表面部材より硬質とされていることを特徴とする。
【０００８】
さらに本発明の緩衝手摺桿では、棒状の手摺桿本体には下方に開く長さ方向の奥広縦溝が形成され、柔軟性を有し靱性の強い材料製の細長い緩衝部材は、該手摺桿本体の下端面に沿って延びる底帯部と該底帯部から立上がる起立縁と該起立縁を縦通する通孔とを有し、該起立縁を該手摺桿本体の該奥広縦溝に挿入して該緩衝部材の該底帯部が該手摺桿本体の該下端面に接した状態で、該緩衝部材の該起立縁における該通孔に下方から挿通した螺子が、該手摺桿本体の該奥広縦溝に係止した係止部材の螺子孔に締付けられることによって該緩衝部材が該手摺桿本体に着脱自在に取付けられ、該緩衝部材の該底帯部における先端縁は該手摺桿本体の通路側端面より突設されることを特徴とする。
また本発明の緩衝手摺桿では、棒状の手摺桿本体には下方に開く長さ方向の奥広縦溝が形成され、柔軟性を有し靱性の強い材料製の細長い緩衝部材は、該手摺桿本体の下端面に沿って延びる底帯部と該底帯部から立上がる先広起立縁とを有し、該緩衝部材の該底帯部が該手摺桿本体の該下端面に接した状態で該緩衝部材の該先広起立縁が該手摺桿本体の該奥広縦溝に着脱自在に嵌着されて取付けられ、該緩衝部材の該底帯部における先端縁は該手摺桿本体の通路側端面より突設されることを特徴とする。
【実施例】
【０００９】
本発明の実施例について添付図面を参照して説明する。
図１乃至図３には、本発明にかかる第１実施例が示されており、病院、障害者施設、老人用施設等に設置される手摺において、その緩衝手摺桿ＲはブラケットＢによって壁Ｗに取付けられている。緩衝手摺桿Ｒにおける棒状の手摺桿本体１は、金属管等の剛質な芯部材２上に手触りの良い軟質合成樹脂製等の表面部材３が被覆されて形成されている。軟質の表面部材３は、その性質上、通路を歩行する手摺使用者の把持感覚は良好であるが、もし表面部材３に通路を通行するストレッチャーや運搬車類が直接衝突する場合には、表面部材３に変形や破損が発生する虞が多大である。
【００１０】
このような表面部材３の変形や破損を防止するために、第１実施例では、棒状の手摺桿本体１における通路側の側面、即ち表面部材３の通路側の側面には長さ方向に奥広溝４が形成されており（図１参照。）、この奥広溝４には柔軟性を有し靱性の強い材料製の細長い緩衝部材５が、弾力を利用してその先端縁６が手摺桿本体１における通路側端面より突設されるように手摺桿本体１の奥広溝４にその先広後端縁７を着脱自在に嵌着されている（図２参照。）。そこで運搬車類が接近する場合に、直接手摺桿本体１に衝突することがなく、緩衝部材５に衝突して緩衝されるために、手摺桿本体１における表面部材３に深い溝が形成されて変形したり表面が剥離して破損したりすることがなく、緩衝手摺桿Ｒの機能が損われることがない。緩衝部材５には、柔軟性を有し靱性の強い材料、即ち柔軟性を有する弾性限界の大きな材料である、ポリアミド、ポリアセタール、ポリエチレン、ポリ塩化ビニール、ＡＢＳ樹脂、各種の合成ゴム等が使用される。そして、手摺桿本体１が剛質な芯部材２上に軟質の表面部材３を被覆されて形成されており、奥広溝４が表面部材３に凹設されており、緩衝部材５が表面部材３より硬質とされているときには、緩衝部材５における運搬車類の衝突箇所の応力が分散されて表面部材３に伝達されるから、衝撃がより緩和される。緩衝部材５はその機能上運搬車類の衝突を受けることになるから長年の使用により破損する場合を生じるが、そのような場合には手摺桿本体１から破損した緩衝部材５を取外して新品と交換することが可能である。
【００１１】
図４乃至図６には、本発明にかかる第２実施例が示されており、第１実施例と同様に病院、障害者施設、老人用施設等に設置される手摺における緩衝手摺桿Ｒの例である。第２実施例における棒状の手摺桿本体１の金属製の芯部材２には下方に開く奥広縦溝８が形成されており、この芯部材２上には手触りの良い軟質合成樹脂製等の表面部材３が被覆されている。奥広縦溝８は図４に示されるように、壁Ｗに固定されたブラケットＢの先端を侵入止着させて緩衝手摺桿Ｒを壁Ｗに支持させる手段として利用されている。そしてこの第２実施例では、更に奥広縦溝８を緩衝部材５の取付手段として利用しようとするものである。柔軟性を有し靱性の強い材料製の細長い緩衝部材５は、その材料については第１実施例と同様であるが、その形状は底帯部９から起立縁１０が立上がる略Ｌ字状の断面をなし、起立縁１０には縦通する通孔１１が所定間隔で穿孔されている。
【００１２】
そしてブラケットＢの位置を避ける位置で緩衝部材５の起立縁１０を芯部材２の奥広縦溝８に挿入し、底帯部９が該手摺桿本体１の下端面に接した状態で通孔１１の下方から挿通した螺子１２を手摺桿本体１の奥広縦溝８に係止した係止部材１３の螺子孔１４に締付けることによって緩衝部材５が手摺桿本体１に着脱自在に取付けられる。取付けられた緩衝部材５の底帯部９における先端縁６は手摺桿本体１の通路側端面より突設されることになる。したがって運搬車類が接近する場合に、直接手摺桿本体１に衝突することがなく、緩衝部材５に衝突して緩衝される。破損した緩衝部材５を新品に交換するには、螺子１２をゆるめて手摺桿本体１から破損した緩衝部材５を取外し、新品の起立縁１０を芯部材２の奥広縦溝８に挿入し、通孔１１の下方から挿通した螺子１２を手摺桿本体１の奥広縦溝８に係止した係止部材１３の螺子孔１４に締付ければよい。第２実施例では手摺桿本体１を壁面Ｗ等に固着する手段の構造と、緩衝部材５の取付構造とを兼用することになり、緩衝部材５の取付のために手摺桿本体１に別途取付手段を設ける必要がないので、手摺本来の機能を損わないのみならず、同時にコストダウンを図ることができる。
【００１３】
第２実施例では、螺子止めで緩衝部材５を取付けたが、起立縁１０の断面形状を奥広縦溝８に着脱自在に嵌着できる先広起立縁とすれば、螺子止め手段を省略して手摺桿本体１に緩衝部材５を着脱自在に取付けることができる。また前記第１実施例及び第２実施例では、いずれも金属管等の剛質な芯部材２上に手触りの良い軟質合成樹脂製等の表面部材３が被覆されている手摺桿本体１が例が挙げられているが、ステンレス鋼等のような硬質材料製の手摺桿本体１が使用される場合にも利用可能であり、手摺桿本体１と運搬車類の車体双方に損傷を生じさせることがない。  
【図面の簡単な説明】
【００１４】
【図１】第１実施例の一部分解縦断面図である。
【図２】第１実施例の縦断面図である。
【図３】第１実施例の斜視図である。
【図４】第２実施例の一部分解縦断面図である。
【図５】第２実施例の縦断面図である。
【図６】第２実施例の一部分解斜視図である。
【符号の説明】
【００１５】
１  手摺桿本体
２  芯部材
３  表面部材
４  奥広溝
５  緩衝部材
６  先端縁
７  先広後端縁
８  奥広縦溝
９  底帯部
１０  起立縁
１１  通孔
１２  螺子
１３  係止部材
１４  螺子孔
【図１】
2007032102.tif 000003
【図２】
2007032102.tif 000004
【図３】
2007032102.tif 000005
【図４】
2007032102.tif 000006
【図５】
2007032102.tif 000007
【図６】
2007032102.tif 000008